(57)【要約】【課題】２つの異なるユニット間の親和性を高め、第１のユニットの操作によって両者を連携して動作させることができるコンテンツ再生装置を提供する。【解決手段】本発明のＰＣ内蔵テレビ１は、ＴＶユニット１０と、ＰＣユニット２０とを備えている。ＴＶユニット１０は、制御情報通信部１８と、コンテンツ受信部１６と、コンテンツ合成部１４と、放送波、および通信ネットワークの少なくともいずれかを通じて、第１のコンテンツを取得するコンテンツ取得部１５と、映像出力部１１および音声出力部１２と、映像出力部１１および音声出力部１２が第１のコンテンツを含むコンテンツの再生を停止したとき、当該第１のコンテンツを記憶部３２に記憶させる記憶制御部３１とを備え、ＰＣユニット２０は、制御情報通信部２５と、コンテンツ送信部２３とを備えている。【選択図】図１
2011023883.tif 000002
【特許請求の範囲】
【請求項１】
少なくとも第１の映像を含む第１のコンテンツを処理する第１のユニットと、少なくとも第２の映像を含む第２のコンテンツを処理する第２のユニットとを備えたコンテンツ再生装置であって、
上記第１のユニットは
上記第２のユニットを制御するための制御情報を第２のユニットに送信する制御情報送信手段と、
上記第２のユニットから送信された上記第２のコンテンツを受信するコンテンツ受信手段と、
放送波、および通信ネットワークの少なくともいずれかを通じて、上記第１のコンテンツを取得する第１のコンテンツ取得手段と、
上記第１のコンテンツおよび上記第２のコンテンツのうち少なくとも一つを再生するコンテンツ再生手段と、
上記コンテンツ再生手段が上記第１のコンテンツを含むコンテンツの再生を停止したとき、上記第１のコンテンツ取得手段が取得する上記第１のコンテンツを記憶媒体に記憶させる記憶制御手段と、を備え、
上記第２のユニットは、
上記第１のユニットから送信された上記制御情報を受信する制御情報受信手段と、
上記受信された制御情報に基づき、上記第２のコンテンツを上記第１のユニットに送信するコンテンツ送信手段とを備えることを特徴とするコンテンツ再生装置。
【請求項２】
上記第１のコンテンツを含むコンテンツの再生の再開の指示である再開指示を受け付ける指示受け付け手段と、
上記指示受け付け手段が上記再開指示を受け付けたときに、上記記憶媒体が記憶した上記第１のコンテンツ、および上記第１のコンテンツ取得手段が取得する上記第１のコンテンツのいずれのコンテンツを再生すべきかを示す再生指示要求情報の入力を促す再生指示要求情報再生手段と、をさらに備え、
上記コンテンツ再生手段は、上記再生指示要求情報によって示される上記第１のコンテンツを再生することを特徴とする請求項１に記載のコンテンツ再生装置。
【請求項３】
上記指示受け付け手段が上記再開指示を受け付けたときに、引き続き上記第１のコンテンツ取得手段が取得する上記第１のコンテンツを記憶すべきかを示す継続記憶指示要求情報の入力を促す継続記憶指示要求情報再生手段をさらに備え、
上記指示受け付け手段が、上記継続記憶指示要求情報に基づく指示を受け付けるものであり、当該指示が、引き続き上記第１のコンテンツ取得手段が取得する上記第１のコンテンツを記憶すべきであることを示す継続記憶指示情報であるとき、上記記憶制御手段は、上記記憶媒体に上記第１のコンテンツの記憶を継続させることを特徴とする請求項２に記載のコンテンツ再生装置。
【請求項４】
上記記憶制御手段が、上記記憶媒体の記憶可能容量が予め設定された値になったことを認識したときに、上記記憶媒体の記憶可能容量が予め設定された値になったことを示す警告情報を再生する警告情報再生手段をさらに備えることを特徴とする請求項１〜３のいずれか１項に記載のコンテンツ再生装置。
【請求項５】
上記第１のユニットは、
少なくとも上記第１の映像と上記第２の映像とを合成することによって、合成コンテンツを生成するコンテンツ合成手段を備えることを特徴とする請求項１〜４のいずれか１項に記載のコンテンツ再生装置。
【請求項６】
上記記憶制御手段は、上記コンテンツ再生手段が再生するコンテンツが上記合成コンテンツから上記第２のコンテンツに切り替わったときに、上記第１のコンテンツ取得手段が取得する上記第１のコンテンツを記憶媒体に記憶させることを特徴とする請求項５に記載のコンテンツ再生装置。
【請求項７】
上記第１のユニットは、
上記放送波を受信する放送波受信手段を備え、
上記第１のコンテンツ取得手段は、上記放送波受信手段により受信された放送波をデコードして上記第１のコンテンツを取得することを特徴とする請求項１に記載のコンテンツ再生装置。
【請求項８】
上記第２のユニットは、
ソフトウェアアプリケーションを実行する実行手段と、
上記ソフトウェアアプリケーションの実行時に生成されるコンテンツを、第２のコンテンツとして取得する第２のコンテンツ取得手段とをさらに備え、
上記コンテンツ送信手段は、上記第２のコンテンツ取得手段によって取得された上記第２のコンテンツを上記第１のユニットに送信することを特徴とする請求項１〜７のいずれか１項に記載のコンテンツ再生装置。
【請求項９】
上記第２のユニットは、
通信ネットワーク、外部記憶装置、内部記憶装置、および記録メディアの少なくともいずれかを通じて、上記第２のコンテンツを取得する第２のコンテンツ取得手段をさらに備えていることを特徴とする請求項１〜７のいずれか１項に記載のコンテンツ再生装置。
【請求項１０】
上記制御情報は、上記通信ネットワーク内の上記外部記憶装置における上記第２のコンテンツへのアクセス情報を含んでおり、
上記第２のコンテンツ取得手段は、上記アクセス情報に基づき上記第２のコンテンツを上記外部記憶装置から取得することを特徴とする請求項９に記載のコンテンツ再生装置。
【請求項１１】
上記コンテンツ再生手段は、合成された上記第１の映像および第２の映像をディスプレイに出力することを特徴とする請求項１〜１０のいずれか１項に記載のコンテンツ再生装置。
【請求項１２】
上記第２のユニットは、
上記第２のコンテンツに関するコンテンツ情報を上記第１のユニットに送信するコンテンツ情報送信手段をさらに備え、
上記第１のユニットは、
上記第２のユニットから送信されたコンテンツ情報を受信するコンテンツ情報受信手段をさらに備え
上記コンテンツ合成手段は、上記第１の映像、第２の映像、および上記コンテンツ情報を合成して上記合成コンテンツを生成することを特徴とする請求項５〜１１のいずれか１項に記載のコンテンツ再生装置。
【請求項１３】
上記コンテンツ情報は、上記第２の映像に関する情報であることを特徴とする請求項１２に記載のコンテンツ再生装置。
【請求項１４】
上記第２のユニットは、上記第１のユニットから着脱可能であることを特徴とする請求項１〜１３のいずれか１項に記載のコンテンツ再生装置。
【請求項１５】
上記第２のユニットは、上記第１のユニットの筐体本体に内蔵されていることを特徴とする請求項１〜１３のいずれか１項に記載のコンテンツ再生装置。
【請求項１６】
請求項１〜１５のいずれか１項に記載のコンテンツ再生装置を動作させるプログラムであって、コンピュータを上記の各手段として機能させるためのプログラム。
【請求項１７】
請求項１６に記載のプログラムを記録しているコンピュータ読み取り可能な記録媒体。
【発明の詳細な説明】
【技術分野】
【０００１】
本発明は、複数のユニットによって構成されるコンテンツ再生装置、プログラム、および記録媒体に関する。
【背景技術】
【０００２】
近年、放送番組を視聴しながら、同一画面上で別の映像を見たいという要望が、視聴者の間に高まっている。これを背景に、子画面を用いて放送番組以外の他の映像を表示する技術が色々と提案されている。
【０００３】
特許文献１には、テレビ画面とインターネットに接続して得られたブラウザ画面を同時にディスプレイに表示する映像表示装置が開示されている。
【０００４】
特許文献２には、デジタル放送を高解像度で短時間に視聴するとともに、ユーザのＴＶ／ＰＣ機能をシームレスに選択できるテレビ機能付きパーソナルコンピュータが開示されている。
【０００５】
特許文献３には、ＰＣの負荷を増加することなくテレビや録画番組の視聴ができ、ＰＣ作業中にＰＣモニタ上の任意の位置にオーバーレイ表示によるテレビ画像を小画面表示することができるとともに、作業域とテレビのオーバーレイ領域が重なり操作性が悪くなった場合にも、作業域を任意の位置へ移動させ、かつ任意の大きさに変更することができ、操作性を大幅に改善することができる画像処理装置が開示されている。
【先行技術文献】
【特許文献】
【０００６】
【特許文献１】特開２００８−７９０７７（公開日：２００８年４月３日）
【特許文献２】特開２００６−３１０８９６（公開日：２００６年１１月９日）
【特許文献３】特開２００７−３１１９５８（公開日：２００７年１１月２９日）
【発明の概要】
【発明が解決しようとする課題】
【０００７】
しかし、上述した従来技術には次のような問題がある。
【０００８】
特許文献１の技術では、ブラウザ機能をテレビ装置の中で実現している。この構成では、テレビ装置のソフトウェアおよびハードウェアは、コンピュータのそれらに比べて貧弱であるため、限られたサービスしか処理できない。特に、インターネットを通じて提供されるサービスは日々進化しているため、特許文献１の技術では、オンラインゲームおよび動画再生サービスなど処理に多大な負荷を要する数多くのサービスには対応できない。その結果、ユーザに対して極僅かなサービスを提供できるに留まる。特許文献２の技術にも同様の問題がある。
【０００９】
特許文献３の技術では、テレビと外部ＰＣとを接続することによって、テレビ画面とＰＣ画面とを混在させて表示する。この技術では、別体の２つの装置を互いに接続するため、配線等が複雑になる。結果、装置の設置および持ち運びが面倒なものとなる。また、テレビ放送の処理とコンピュータの処理とが互いに無関係に動作しているため、それぞれを別々の操作装置で操作せざるを得ない。また、両者の連携を実現することは困難である。
【００１０】
本発明は、上記の問題点に鑑みてなされたものであり、その目的は、２つの異なるユニット間の親和性を高め、第１のユニットの操作によって両者を連携して動作させることができるコンテンツ再生装置、プログラム、および記録媒体を提供することにある。
【課題を解決するための手段】
【００１１】
本発明に係るコンテンツ再生装置は、上記の課題を解決するために、
少なくとも第１の映像を含む第１のコンテンツを処理する第１のユニットと、少なくとも第２の映像を含む第２のコンテンツを処理する第２のユニットとを備えたコンテンツ再生装置であって、
上記第１のユニットは、
上記第２のユニットを制御するための制御情報を第２のユニットに送信する制御情報送信手段と、
上記第２のユニットから送信された上記第２のコンテンツを受信するコンテンツ受信手段と、
放送波、および通信ネットワークの少なくともいずれかを通じて、上記第１のコンテンツを取得する第１のコンテンツ取得手段と、
上記第１のコンテンツおよび上記第２のコンテンツのうち少なくとも一つを再生するコンテンツ再生手段と、
上記コンテンツ再生手段が上記第１のコンテンツを含むコンテンツの再生を停止したとき、上記第１のコンテンツ取得手段が取得する上記第１のコンテンツを記憶媒体に記憶させる記憶制御手段と、を備え、
上記第２のユニットは、
上記第１のユニットから送信された上記制御情報を受信する制御情報受信手段と、
上記受信された制御情報に基づき、上記第２のコンテンツを上記第１のユニットに送信するコンテンツ送信手段とを備えることを特徴としている。
【００１２】
上記の構成によれば、コンテンツ再生装置において、第１のユニットと第２のユニットとは制御情報を通じて互いに連携して動作する。第１のユニットはたとえばテレビジョン機能を有し、一方、第２のユニットはたとえばコンピュータ機能を有する。コンテンツ再生装置は、第１のユニットが取得した第１のコンテンツと、第２のユニットが取得した第２のコンテンツとを合成して一つの合成コンテンツを得る。こうして得た合成コンテンツを再生してユーザに視聴させる。その際、第２のユニットは第１のユニットから送られた制御情報に基づき第２のコンテンツを第１のユニットに提供する。したがって、ユーザは第１のユニットさえ操作すれば、第１のユニットと第２のユニットとを連携して動作させ、その結果、２つの異なる映像を合成させてディスプレイに表示させることができる。
【００１３】
以上のように、コンテンツ再生装置は、２つの異なるユニット間の親和性を高め、第１のユニットの操作によって両者を連携して動作させることができる効果を奏する。
【００１４】
さらに、上記コンテンツ再生手段が再生する第１のコンテンツを含むコンテンツの再生を停止した際に、記憶媒体が、放送波または通信ネットワークから受信している第１のコンテンツを記憶することにより、ユーザは当該第１のコンテンツを後から視聴できるという効果を奏する。
【００１５】
本発明に係るコンテンツ再生装置では、さらに、
上記第１のコンテンツを含むコンテンツの再生の再開の指示である再開指示を受け付ける指示受け付け手段と、
上記指示受け付け手段が上記再開指示を受け付けたときに、上記記憶媒体が記憶した上記第１のコンテンツ、および上記第１のコンテンツ取得手段が取得する上記第１のコンテンツのいずれのコンテンツを再生すべきかを示す再生指示要求情報の入力を促す再生指示要求情報再生手段と、をさらに備え、
上記コンテンツ再生手段は、上記再生指示要求情報によって示される上記第１のコンテンツを再生するものであってもよい。
【００１６】
上記の構成によれば、ユーザが、コンテンツ再生装置に再生させるコンテンツを第２のコンテンツから第１のコンテンツまたはこれを含むコンテンツに切り替えた際に、記憶媒体が記憶していた第１のコンテンツおよび放送波または通信ネットワークからそのとき受信している第１のコンテンツのいずれを視聴するか選択することができる。
【００１７】
本発明に係るコンテンツ再生装置では、さらに、
上記指示受け付け手段が上記再開指示を受け付けたときに、引き続き上記第１のコンテンツ取得手段が取得する上記第１のコンテンツを記憶すべきかを示す継続記憶指示要求情報の入力を促す継続記憶指示要求情報再生手段をさらに備え、
上記指示受け付け手段が、上記継続記憶指示要求情報に基づく指示を受け付けるものであり、当該指示が、引き続き上記第１のコンテンツ取得手段が取得する上記第１のコンテンツを記憶すべきであることを示す継続記憶指示情報であるとき、上記記憶制御手段は、上記記憶媒体に上記第１のコンテンツの記憶を継続させるものであってもよい。
【００１８】
上記の構成によれば、上記記憶媒体は、放送波または通信ネットワークから受信している第１のコンテンツを引き続き記憶することができる。例えば、ユーザが第２のコンテンツの再生から第１のコンテンツまたはこれを含むコンテンツに切り替えた際に、第１のコンテンツが一つの放送番組の途中であったとしても、その前後を連続して記憶することができる。つまり、途中からリアルタイムで当該放送番組を視聴する場合、および、上記再生コンテンツ切り替え指示をする前の時間に受信して記憶媒体に記憶された当該放送番組を視聴する場合のいずれの場合であっても、ユーザは当該放送番組の所望の範囲を見逃すことなく視聴できる。
【００１９】
本発明に係るコンテンツ再生装置では、上記記憶制御手段が、上記記憶媒体の記憶可能容量が予め設定された値になったことを認識したときに、上記記憶媒体の記憶可能容量が予め設定された値になったことを示す警告情報を表示する警告情報再生手段をさらに備えることが好ましい。
【００２０】
上記の構成によれば、ユーザは、記憶媒体の記憶可能容量の残りを認識することができる。
【００２１】
本発明に係るコンテンツ再生装置では、
上記第１のユニットは、
少なくとも上記第１の映像と上記第２の映像とを合成することによって、合成コンテンツを生成するコンテンツ合成手段を備えることがより好ましい。
【００２２】
上記の構成によれば、ユーザは、第１のコンテンツおよび第２のコンテンツを合わせたコンテンツを視聴することができる。例えば、第１のコンテンツとして放送番組を視聴し、補助的に第２のコンテンツとしてＰＣコンテンツを視聴することができる。
【００２３】
本発明に係るコンテンツ再生装置では、さらに、
上記記憶制御手段は、上記コンテンツ再生手段が再生するコンテンツが上記合成コンテンツから上記第２のコンテンツに切り替わったときに、上記第１のコンテンツ取得手段が取得する上記第１のコンテンツを記憶媒体に記憶させるものであってもよい。
【００２４】
上記の構成によれば、上記合成コンテンツの再生から上記第２のコンテンツのみの再生に切り替わったときに上記第１のコンテンツを記憶媒体に記憶させることができる。
【００２５】
本発明に係るコンテンツ再生装置では、さらに、
上記第１のユニットは、
アンテナを通じて上記放送波を受信する放送波受信手段を備え、
上記第１のコンテンツ取得手段は、上記放送波受信手段により受信された放送波をデコードして上記第１のコンテンツを取得することが好ましい。
【００２６】
上記の構成によれば、第１のユニットが放送番組を再生できる。結果、コンテンツ再生装置をテレビジョン装置の一種として実現できる。
【００２７】
本発明に係るコンテンツ再生装置では、さらに、
上記第２のユニットは、
ソフトウェアアプリケーションを実行する実行手段と、
上記ソフトウェアアプリケーションの実行時に生成されるコンテンツを、上記第２のコンテンツとして取得する第２のコンテンツ取得手段とをさらに備え、
上記コンテンツ送信手段は、上記第２のコンテンツ取得手段によって取得された上記第２のコンテンツを上記第１のユニットに送信することが好ましい。
【００２８】
上記の構成によれば、第２のユニットが汎用コンピュータとしての機能を有する。結果、コンテンツ再生装置を、コンピュータ機能を有する装置として実現できる。特に、第１のユニットが放送番組の再生機能を有する場合、コンテンツ再生装置は、コンピュータ内蔵のテレビジョン装置として実現できる。
【００２９】
本発明に係るコンテンツ再生装置では、さらに、
上記第２のユニットは、
通信ネットワーク、外部記憶装置、内部記憶装置、および記録メディアの少なくともいずれかを通じて、上記第２のコンテンツを取得する第２のコンテンツ取得手段をさらに備えていることが好ましい。
【００３０】
上記の構成によれば、コンテンツ再生装置は多種多様なコンテンツを再生できる。
【００３１】
本発明に係るコンテンツ再生装置では、さらに、
上記制御情報は、上記通信ネットワーク内の上記外部記憶装置における上記第２のコンテンツへのアクセス情報を含んでおり、
上記第２のコンテンツ取得手段は、上記アクセス情報に基づき上記第２のコンテンツを上記外部装置から取得することを特徴とする請求項５のいずれか１項に記載のコンテンツ
上記の構成によれば、第２のユニットにおける第２のコンテンツの取得を、第１のユニットを操作することによって実現できる。
【００３２】
本発明に係るコンテンツ再生装置では、さらに、
上記コンテンツ再生手段は、合成された上記第１の映像および第２の映像をディスプレイに出力することが好ましい。
【００３３】
上記の構成によれば、ユーザに、２つの異なる映像を同時に視認させることができる。
【００３４】
本発明に係るコンテンツ再生装置では、さらに、
上記第２のユニットは、
上記第２のコンテンツに関するコンテンツ情報を上記第１のユニットに送信するコンテンツ情報送信手段をさらに備え、
上記第１のユニットは、
上記第２のユニットから送信されたコンテンツ情報を受信するコンテンツ情報受信手段をさらに備え、
上記コンテンツ合成手段は、上記第１の映像、第２の映像、および上記コンテンツ情報を合成して上記合成コンテンツを生成することが好ましい。
【００３５】
上記の構成によれば、２つの異なる映像に加え、第２のコンテンツに関する情報も同時にユーザに視認させることができる。結果、再生中のコンテンツに対するユーザの理解をより深めることができる。
【００３６】
本発明に係るコンテンツ再生装置では、さらに、
上記コンテンツ情報は、上記第２の映像に関する情報であることが好ましい。
【００３７】
上記の構成によれば、２つの異なる映像に加え、第２の映像に関する情報も同時にユーザに視認させることができる。結果、視認中の映像に対するユーザの理解をより深めることができる。
【００３８】
本発明に係るコンテンツ再生装置では、さらに、
上記第２のユニットは、上記第１のユニットから着脱可能であることが好ましい。
【００３９】
上記の構成によれば、コンテンツ再生装置の拡張性および保守性をより高めることができる。
【００４０】
本発明に係るコンテンツ再生装置では、さらに、
上記第２のユニットは、上記第１のユニットの筐体本体に内蔵されていることが好ましい。
【００４１】
上記の構成によれば、第２のユニットを外部環境から守ることができる。
【００４２】
なお、上記コンテンツ再生装置は、コンピュータによって実現してもよい。この場合、コンピュータを上記各手段として動作させることにより上記コンテンツ再生装置をコンピュータにおいて実現するプログラム、およびそのプログラムを記録したコンピュータ読み取り可能な記録媒体も、本発明の範疇に入る。
【発明の効果】
【００４３】
以上のように、本発明に係るコンテンツ再生装置は、２つの異なるユニット間の親和性を高め、第１のユニットの操作によって両者を連携して動作させることができるという効果を奏する。
【図面の簡単な説明】
【００４４】
【図１】本発明の一実施形態に係るＰＣ内蔵テレビの要部構成を示すブロック図である。
【図２】（ａ）は、本発明の一実施形態に係るＰＣ内蔵テレビを表示画面側から見た場合の外観を示す図であり、（ｂ）は、ＰＣ内蔵テレビを上から見た場合の外観を示す図である。
【図３】本発明の一実施形態に係るＰＣ内蔵テレビにおいて、第２のユニットの記憶部で第１のユニットが受信したコンテンツを記憶する形態における各構成間の連携の様子を示すブロック図である。
【図４】本発明の一実施形態に係るＰＣ内蔵テレビの詳細な内部構成を示すブロック図である。
【図５】（ａ）は、リモコンを使用してＰＣ内蔵テレビを操作する際の信号伝達の流れを図であり、（ｂ）は、入力装置（キーボードまたはマウス）を使用してＰＣ内蔵テレビを操作する際の信号伝達の流れを図である。
【図６】ＰＣ内蔵テレビにおける映像合成の流れの一例を示す図である。
【図７】ディスプレイに表示される画面と動作との関係の一例を示す図である。
【図８】ディスプレイに表示される画面の各例を示す図である。
【図９】ＰＣ内蔵テレビが、ＰＣ機能メニューの選択に応じてＰＣ子画面の表示を切り替える様子の一例を示す図である。
【図１０】ＰＣ内蔵テレビが、ＰＣ機能メニューを示す情報の選択結果に応じて、ＰＣ子画面を表示したりＰＣ子画面の表示位置を変更したりする様子の一例を示す図である。
【図１１】本発明のＰＣ内蔵テレビにおいてＴＶ全画面およびＰＣ子画面を表示する際の情報処理の流れの一例を示すシーケンス図である。
【図１２】図に示すシーケンス処理によってディスプレイに表示される画面の一例を示す図である。
【図１３】（ａ）は、着脱可能なＰＣユニットがＴＶユニットに装着された後のＰＣ内蔵テレビを表示画面側から見た場合の外観を示す図であり、（ｂ）は、着脱可能なＰＣユニットがＴＶユニットに装着される前のＰＣ内蔵テレビを背面側から見た場合の外観を示す図である。
【図１４】本発明の他の実施形態に係るＰＣ内蔵テレビの要部構成を示すブロック図である。
【図１５】着脱可能なＢＤユニットがＴＶユニットに装着された後のＢＤ内蔵テレビの外観例を示す図である。
【発明を実施するための形態】
【００４５】
本発明に係るＰＣ内蔵テレビ１（コンテンツ再生装置）の一実施形態について、図１〜図１２を参照して以下に説明する。
【００４６】
（ＴＶユニット１０の外観）
まず、ＰＣ内蔵テレビ１の外観について、図２を参照して以下に説明する。図２（ａ）は、本発明の一実施形態に係るＰＣ内蔵テレビ１を表示画面側から見た場合の外観を示す図である。図２（ｂ）は、ＰＣ内蔵テレビ１を横（ＰＣユニット２０の設置側）から見た場合の外観を示す図である。
【００４７】
図２（ａ）および（ｂ）に示すように、ＰＣ内蔵テレビ１は、ＴＶユニット１０（第１のユニット）にＰＣユニット２０（第２のユニット）が設けられた構成の装置である。本実施形態のＴＶユニット１０は、液晶テレビジョン装置としての構成および機能を備えたサブユニット（サブシステム）である。一方、ＰＣユニット２０はいわゆるパーソナルコンピュータとしての構成および機能を備えたサブユニット（サブシステム）である。両者が一体化されて一つのＰＣ内蔵テレビ１を構成する。さらに両者は互いに連携して動作することによって、ユーザに対し、これまでにない充実したコンテンツ再生（視聴、閲覧）体験を提供する。
【００４８】
ユーザはリモコン９を使用してＰＣ内蔵テレビ１を操作する。リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００４９】
（ＰＣ内蔵テレビ１の要部構成）
ＰＣ内蔵テレビ１の内部構成および機能について、図１を参照して以下に説明する。図１は、本発明の一実施形態に係るＰＣ内蔵テレビ１の要部構成を示すブロック図である。
【００５０】
図１に示すように、ＰＣ内蔵テレビ１のＴＶユニット１０は、映像出力部１１（コンテンツ再生手段、再生指示要求情報再生手段、継続記憶指示要求情報再生手段、警告情報再生手段）、音声出力部１２（コンテンツ再生手段）、コンテンツ処理部１３、コンテンツ合成部１４（コンテンツ合成手段）、コンテンツ取得部１５（第１のコンテンツ取得手段、放送波受信手段）、コンテンツ受信部１６（コンテンツ受信手段、コンテンツ情報受信手段）、ユーザ入力部１７（指示受け付け手段）、制御情報通信部１８（制御情報送信手段）および制御部１９、記憶制御部３１（記憶制御手段）、記憶部３２（記憶媒体）を備えている。一方、ＰＣユニット２０は、コンテンツ処理部２１、コンテンツ取得部２２、コンテンツ送信部２３（コンテンツ送信手段、コンテンツ情報送信手段）、記憶部２４、制御情報通信部２５（制御情報受信手段）、ユーザ入力部２６、制御部２７およびアプリケーション実行部２８を備えている。
【００５１】
本実施形態ＰＣ内蔵テレビ１は、映像の合成機能を有している。具体的には、ＴＶユニット１０は、放送波（テレビ放送）を受信してデコードすることによって、放送番組（第１のコンテンツ）を取得する。ＰＣユニット２０は、ウェブページ、動画コンテンツ等などのＰＣコンテンツ（第２のコンテンツ）を取得しＴＶユニット１０に提供する。ＴＶユニット１０は、少なくとも放送番組内の映像（第１の映像）およびＰＣコンテンツ内の映像（第２の映像）を合成して一つの合成映像を生成し、ディスプレイ２に出力する。これによりディスプレイ２は当該合成映像を表示する。ディスプレイ２は、たとえば液晶ディスプレイ、プラズマディスプレイ、有機ＥＬディスプレイとして実現される。
【００５２】
（ＴＶユニット１０の詳細）
ＴＶユニット１０に備えられる各ブロックの機能について、それぞれ以下に説明する。
【００５３】
映像出力部１１は、コンテンツ合成部１４から送られた映像信号をディスプレイ２に出力する。また、映像出力部１１は、放送番組の再生を停止した後、ユーザ入力部１７が放送番組の再開の指示（再開指示）を受け付けたときに記憶部が記憶した放送番組、およびコンテンツ取得部１５が取得する放送番組のいずれを再生すべきかを示す再生指示要求情報の入力を促す画面の映像信号をディスプレイ２に出力する。また、映像出力部１１は、ユーザ入力部１７が再開指示を受け付けたときに、引き続きコンテンツ取得部１５が取得する放送番組を記憶すべきかを示す継続記憶指示要求情報の入力を促す画面の映像信号をディスプレイ２に出力する。また、映像出力部１１は、記憶制御部３１が、記憶部３２の記憶可能容量が予め設定された値になったことを認識したときに、記憶媒体の記憶可能容量が予め設定された値になったことを示す警告情報の画面の映像信号をディスプレイ２に出力する。
【００５４】
音声出力部１２は、コンテンツ合成部１４から送られた音声信号をスピーカ３に出力する。
【００５５】
コンテンツ処理部１３は、コンテンツ取得部１５から入力されたコンテンツを処理する。本実施形態では、受信された放送波をデコードして放送番組を生成し、コンテンツ合成部１４に出力する。
【００５６】
コンテンツ合成部１４は、コンテンツ処理部１３から入力された放送番組、およびコンテンツ受信部１６がＰＣユニット２０から受信したＰＣコンテンツを合成して、一つの合成コンテンツを生成する。
【００５７】
コンテンツ取得部１５は、アンテナ４を通じて放送波を受信し、コンテンツ処理部１３に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００５８】
コンテンツ受信部１６は、ＰＣユニット２０から送信されたＰＣコンテンツを受信し、コンテンツ合成部１４に出力する。
【００５９】
ユーザ入力部１７は、ユーザによるＰＣ内蔵テレビ１に対する入力操作を受け付ける。具体的には、たとえばユーザによる入力操作に応じてリモコン９が発した信号を受信し、制御部１９に出力する。他にも、ＴＶユニット１０本体へのユーザの直接操作によって発生せられた信号を受信することもできる。
【００６０】
制御情報通信部１８は、ＰＣユニット２０と制御情報をやり取りする。具体的には、制御情報をＰＣユニット２０の制御情報通信部２５に送信したり、あるいは、制御情報通信部２５から送信された制御情報を受信したりする。ここで制御情報には、たとえば、ＰＣユニット２０ａまたはＴＶユニット１０ａを操作するための操作情報が含まれる。他にも、取得したコンテンツを他方のユニットに提供すべき旨を規定した情報が含まれる。さらに、コンテンツを取得するためのアクセス情報（リンク情報）が含まれる。
【００６１】
制御部１９は、ＴＶユニット１０を構成する各ブロックを統括制御する。
【００６２】
記憶制御部３１は、映像出力部１１および音声出力部１２が、コンテンツ取得部１５により取得されているコンテンツ（第１のコンテンツ）を再生しているのか、ＰＣユニット２０より受信したコンテンツ（第２のコンテンツ）を再生しているのか、コンテンツ合成部１４により合成されたコンテンツ（合成コンテンツ）を再生しているのかを認識することができる。映像出力部１１および音声出力部１２がコンテンツを再生するということは、映像出力部１１および音声出力部１２がそれぞれディスプレイ２及びスピーカ３に映像及び音声を出力することをいう。また、映像出力部１１および音声出力部１２がコンテンツ取得部１５により取得されている放送番組またはコンテンツ合成部１４により合成された合成コンテンツを再生している状態から、ＰＣユニット２０より受信したＰＣコンテンツのみを再生している状態に切り替わったことを認識したときに、即ち、放送番組の再生が停止されたときに、記憶部３２に対して、コンテンツ取得部１５により取得されている放送番組を記憶させることができる。また、ユーザ入力部１７が、映像出力部１１および音声出力部１２が再生するコンテンツを、ＰＣユニット２０より受信しているＰＣコンテンツからコンテンツ取得部１５により取得されている放送番組または合成コンテンツに切り替える指示、即ち放送番組を含むコンテンツの再生を再開する指示（再開指示）を受け付けたときに、記憶制御部３１は、記憶部３２記憶した放送番組、およびコンテンツ取得部１５が取得する放送番組のいずれのコンテンツを再生すべきかの指示の入力を促す再生指示要求情報を映像出力部１１に再生させる。また、記憶制御部３１は、ユーザ入力部１７が上記再開指示を受け付けたときに、引き続きコンテンツ取得部１５が取得する放送番組を記憶すべきかを示す継続記憶指示情報を受け付けたとき、記憶部３２に、放送番組の記憶を継続させる。また、記憶部３２の記憶可能容量が予め設定された値になったことを認識したときに、警告情報を映像出力部１１に再生させる。
【００６３】
記憶部３２は、コンテンツ取得部１５が取得するコンテンツを記憶する。コンテンツの記憶の開始は記憶制御部３１によって制御される。記憶部３２は、本実施の形態のようにＴＶユニット１０が備える形態に限定されない。本発明における記憶媒体は、第２のユニットが備える記憶手段によって実現されてもよいし、第１のユニットおよび第２のユニットのいずれにも含まれない外付けの記憶手段によって実現されてもよい。この点について、コンテンツ取得部１５が取得しているコンテンツ（例えば放送番組）をＰＣユニット２０の記憶部２４で記憶する場合を例に図３を用いて説明する。図３はＰＣ内蔵テレビ１において、ＰＣユニット２０の記憶部２４でＴＶユニット１０が受信したコンテンツを記憶する形態における各構成間の連携の様子を示すブロック図である。
【００６４】
コンテンツ合成部１４が映像出力部１１及び音声出力部１２に対して合成コンテンツ又は放送番組を送信して、映像出力部１１及び音声出力部１２がこれを再生している状態から、コンテンツ受信部１６がコンテンツ送信部２３から受信するコンテンツのみを再生するようにユーザが切り替えた場合、記憶制御部３１がこれを認識して、制御情報通信部１８及び制御情報通信部２５の間で連携を取る。具体的には、ＰＣコンテンツについてはコンテンツ送信部２３からコンテンツ受信部１６に送信して、コンテンツ合成部１４を介して映像出力部１１及び音声出力部１２からディスプレイ及びスピーカに出力されるように制御する。一方で、映像出力部１１及び音声出力部１２は放送番組を再生せずに、記憶部２４に送信するように制御する。そして、記憶部２４が放送番組を記憶する。このような制御を行なうことにより、放送番組又は合成コンテンツの再生からＰＣコンテンツの再生に切り替えたときに放送番組を録画する記憶媒体を、ＴＶユニット１０に備えられているものばかりではなく、ＰＣユニット２０に内蔵された記憶部２４、又は、外付けの記憶媒体（ハードディスク、ＢｌｕＲａｙ等）によっても実現できるのである。
【００６５】
（ＰＣユニット２０の詳細）
ＰＣユニット２０を構成する各ブロックの機能について、以下に説明する。
【００６６】
コンテンツ処理部２１は、コンテンツ取得部２２が取得したＰＣコンテンツを処理する。
【００６７】
コンテンツ取得部２２は、外部からＰＣコンテンツを取得する。たとえば、記録ディスク７またはインターネット（通信ネットワーク）８からＰＣコンテンツを取得する。ＰＣコンテンツは、コンピュータによって処理され再生可能なコンテンツのことである。たとえばテキスト、映像、音声、動画等のコンテンツがこれに該当し、さらにこれらの組み合わせからなるマルチメディアコンテンツも該当する。他にも、ウェブページもＰＣコンテンツに含まれる。これらのＰＣコンテンツは各所から取得できる。取得先はたとえばインターネット８上のウェブサイト、ＰＣ内蔵テレビ１に接続された外部装置、および記録ディスク７である。
【００６８】
コンテンツ送信部２３は、コンテンツ処理部２１が処理したコンテンツをコンテンツ受信部１６へ送信する。
【００６９】
記憶部２４は、各種のＰＣコンテンツを記憶する。たとえば、ハードディスク、フラッシュメモリ等の不揮発性の記憶装置として実現される。記憶部２４には、ＰＣコンテンツに加えて、アプリケーション実行部２８によって実行される各種のソフトウェアアプリケーションが記憶されている。
【００７０】
制御情報通信部２５は、制御情報通信部１８と制御情報のやり取りをする。具体的には、制御情報をＴＶユニット１０の制御情報通信部１８に送信したり、あるいは、制御情報通信部１８から送信された制御情報を受信したりする。
【００７１】
ユーザ入力部２６は、ユーザによるＰＣ内蔵テレビ１に対する入力操作を受け付ける。具体的には、ユーザによる入力操作に応じて操作装置（本実施形態ではマウス５およびキーボード６）が発した信号を受信し、制御部２７に出力する。当該操作装置の他の例として、トラックボールおよびトラックパッドなどのポインティングデバイス、ならびにジョイスティックも含まれる。
【００７２】
制御部２７は、ＰＣユニット２０における各種動作を制御する。
【００７３】
アプリケーション実行部２８は、記憶部２４に記憶されているソフトウェアアプリケーションを読み出し、実行する。
【００７４】
（ＰＣ内蔵テレビ１の詳細な内部構成）
次に、ＰＣ内蔵テレビ１の詳細な内部構成について、図４を参照して説明する。図４は、本発明の一実施形態に係るＰＣ内蔵テレビ１の詳細な内部構成を示すブロック図である。図１に示す各機能ブロックは、図４に示す各ブロックのいずれかまたはその組み合わせによって、実現される。
【００７５】
ＲＦ（Ｒａｄｉｏ  Ｆｒｅｑｕｅｎｃｙ）受信部１０１は、外部から送られてくる信号を受信する。すなわち、ＲＦ受信部１０１は、たとえば、地上波デジタル放送として無線で送られてくる映像信号等のデジタル放送信号を受け付ける映像信号入力部である。なお、ＲＦ受信部１０１が受信する信号は、地上波デジタル放送として送られてくる信号に限定されるものではなく、たとえば、一般のアナログ放送、衛星放送、またはケーブルテレビ放送等として送られてくる信号であってもよい。
【００７６】
これらの信号としては、たとえば、デジタル放送の場合はＭＰＧ２またはＭＰＥＧ４等のシステムとしてデジタル化された映像信号が挙げられる。また、ＲＦ受信部１０１に入力される信号は、当該映像信号に限定されるものではなく、たとえば、デジタル化されたオーディオ信号、データ放送、電子番組表情報またはネットワーク情報などのデジタル放送信号（放送波）であってもよい。
【００７７】
デモジュレータ１０２は、ＲＦ受信部１０１に入力されたデジタル放送信号を復調し、デコーダ１０３に送る。
【００７８】
デコーダ１０３は、たとえばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ１０９に送られ、そこで処理される。
【００７９】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行なう。しかしながら、これに限定されるものではなく、デコーダ１０３またはＣＰＵ１０９において、オーディオ信号をデコードしてもよい。処理されたオーディオ信号は、スピーカ１０５に送られる。
【００８０】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、たとえば、ＢＤ（ＢｌｕＲａｙ）レコーダまたはＳＴＢ（Ｓｅｔ  Ｔｏｐ  Ｂｏｘ）などの場合、スピーカ１０５の代わりに、外部機器にオーディオ信号を出力してもよい。
【００８１】
リモコン通信部１０６は、図示しないリモコンからの制御信号を受信する。制御信号を送信するリモコン９としては、たとえば、１方向に信号を送信する赤外線リモコン、または双方向に信号を送信する無線リモコンが挙げられる。リモコン通信部１０６が受信した制御信号は、ＣＰＵ１０９に送られる。
【００８２】
外部入力部１０７は、ＰＣユニット２０の映像出力部２０８から出力された信号を受信する。外部入力部１０７としては、たとえば、ＨＤＭＩインターフェースまたはＤＶＩ・Ｄ端子などが挙げられる。また、外部入力部１０７が受信する信号は、デコードされたデータまたは圧縮形式のデータ（たとえば、ＭＰＥＧ４等）を含む。
【００８３】
外部入力部１０７が受信したオーディオ信号は、オーディオプロセッサ１０４に出力される。一方、外部入力部１０７が受信した映像信号は、グラフィックメモリ１１０に出力され、展開される。また、たとえば、外部入力部１０７が受信した映像信号が圧縮画像であって場合、受信した映像信号は、デコーダ１０３をいったん経由してグラフィックメモリ１１０に送られる。なお、デコーダ１０３を経由するか否かによって、グラフィックメモリ１１０に出力される映像信号に本質的な差異はない。
【００８４】
メモリ１０８は、プログラムまたはデータを格納するメモリである。また、上述の記憶部３２としても機能する。
【００８５】
ＣＰＵ１０９は、ＴＶユニット１０全体の制御を行なうＣＰＵである。
【００８６】
グラフィックメモリ１１０は、２つ以上の映像および表示データを保持する。表示データとしては、たとえば、データ放送、およびＯＳＤ（オンスクリーンディスプレイ）データ、および設定メニュー等のデータが挙げられる。グラフィックメモリ１１０は、複数のプレーンからなり、それぞれのプレーンを重ね合わせたり、アルファブレンディングを行ったりすることが可能である。
【００８７】
グラフィックコントローラ１１１は、グラフィックメモリ１１０に保持される映像および表示データを合成し、１画面を作成する。すなわち、グラフィックコントローラ１１１は、ＣＰＵ１０９からの制御に応じて、たとえば、複数のプレーンの拡大縮小または位置設定などを行ない、合成して最終画面を作り出す。この最終画面は、表示部１１２へ送られる。
【００８８】
表示部１１２は、グラフィックコントローラ１１１から受け取った映像を表示する。たとえば液晶パネルなどの表示デバイスに映像を表示してもよいし、外部機器に映像データを出力してもよい。
【００８９】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ）などのホームネットワーク規格によって他の機器と接続しても、インターネットを通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【００９０】
Ｉ／Ｆ部１１４は、ＬＡＮ、ＵＳＢまたはシリアル等を制御するインターフェース部である。Ｉ／Ｆ部１１４では、静止画等を含む制御情報をＰＣユニット２０とやり取りする。なお、Ｉ／Ｆ部１１４における制御情報の送受信方式は、特に限定されない。
【００９１】
電源部１１５は、ＴＶユニット１０における電源回路である。また、電源部２０４は、ＰＣユニット２０における電源回路である。これらの電源部１１５，２０４は、共通の電源３００から電力の供給を受ける。この際、１つのＡＣプラグによって電力の供給を受けることが望ましい。
【００９２】
入力部２０１は、外部からの入力を受け付ける。このように、ＰＣユニット２０は、独自の入力部が存在し得る。入力部２０１としては、たとえば、Ｂｌｕｅｔｏｏｔｈのワイヤレスキーボードまたはワイヤレスマウス等を利用できることが好ましい。
【００９３】
ＩＯプロセッサ２０２は、各種外部インターフェースを制御する。
【００９４】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３，２０３を備えている場合、ＰＣ内蔵のテレビ１の内部においてブリッジ機能を有することが好ましい。これにより、たとえば、有線ＬＡＮを接続する場合に、１つのＬＡＮケーブルを挿すだけで、ＴＶユニット１０およびＰＣユニット２０を同時にネットワークに接続させることができる。
【００９５】
メモリ２０５は、各種制御を行なうＣＰＵ２０６のメモリである。
【００９６】
ＣＰＵ２０６は、ＰＣユニット２０に含まれる各ブロックを統括的に制御する。たとえば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、たとえば、ＰＣユニット２０がデコーダ１０３のようなハードウェアを備えていてもよい。
【００９７】
グラフィックコントローラ２０７は、映像描画時のグラフィック処理を高速化する。
【００９８】
映像出力部２０８は、グラフィックコントローラ２０７によって処理された映像信号を、たとえばＨＤＭＩ等の形式によって出力する。なお、オーディオ信号も映像信号と同様に、ＴＶユニット１０に送信される。
【００９９】
記憶部２０９は、インターネット８または記録ディスク７を通じて取得されたＰＣコンテンツを恒久的に記憶する。記憶部２０９としては、たとえば、ハードディスク、ＢＤ（Ｂｌｕ−ｒａｙ  Ｄｉｓｃ）、ＤＶＤ（Ｄｉｇｉｔａｌ  Ｖｉｄｅｏ  Ｄｉｓｃ）またはＵＳＢ（Ｕｎｉｖｅｒｓａｌ  Ｓｅｒｉａｌ  Ｂｕｓ）メモリ等が挙げられる。ＣＰＵ２０６は、ネットワークを経由して取得した映像、または記憶部２０９に記憶されている映像を再生し、ＴＶユニット１０に送信する。
【０１００】
ここで、映像とは、動画に限定されるものではなく、音楽、書籍、写真、スライドショー、ワープロドキュメント、またはゲーム等のアプリケーションが作成する画面が挙げられる。
【０１０１】
（ＰＣ内蔵テレビ１の操作方法）
図５（ａ）は、リモコン９を使用してＰＣ内蔵テレビ１を操作する際の信号伝達の流れを図である。図５（ｂ）は、入力装置（キーボード６またはマウス５）を使用してＰＣ内蔵テレビ１を操作する際の信号伝達の流れを図である。
【０１０２】
上述したように、ユーザは、リモコン９を使用してＴＶユニット１０およびＰＣユニット２０の両方を操作できる。ユーザの入力に応じてリモコン９が発信する信号（操作信号）は、ユーザ入力部１７を経由して制御部１９に入力される。制御部１９は、操作信号を解析することによって、ＴＶユニット１０を操作するための信号か、またはＰＣユニット２０を操作するための信号なのかを判定する。前者だと判定した場合には、操作信号の内容に応じて、ＴＶユニット１０内の各ブロックを制御する。これらの処理の結果、ユーザはリモコン９を使用してＴＶユニット１０を操作できる。
【０１０３】
一方、制御部１９は、操作信号がＰＣユニット２０を操作するための信号だと判定した場合には、ＰＣユニット２０を制御するための制御情報を生成し、制御情報通信部１８を通じてＰＣユニット２０に送信する。当該制御情報は制御情報通信部２５を経由してＰＣユニット２０の制御部２７に入力される。ＰＣユニット２０は、入力された制御情報に基づき、ＰＣユニット２０内の各ブロックを制御する。これらの処理の結果、ユーザは、リモコン９を使用してＰＣユニット２０を操作できる。
【０１０４】
上述したように、ユーザは、マウス５またはキーボード６（以下、操作装置と総称）を使用して、ＰＣユニット２０およびＴＶユニット１０の両方を操作できる。ユーザの入力に応じて操作装置が発信する信号（操作信号）は、ユーザ入力部２６を経由して制御部２７に入力される。制御部２７は、操作信号を解析することによって、ＰＣユニット２０を操作するための信号か、またはＴＶユニット１０を操作するための信号なのかを判定する。前者だと判定した場合には、操作信号の内容に応じて、ＰＣユニット２０内の各ブロックを制御する。これらの処理の結果、ユーザはマウス５またはキーボード６を使用してＰＣユニット２０を操作できる。
【０１０５】
一方、制御部２７は、操作信号がＴＶユニット１０を操作するための信号だと判定した場合には、ＴＶユニット１０を制御するための制御情報を生成し、制御情報通信部２５を通じてＴＶユニット１０に送信する。当該制御情報は制御情報通信部１８を経由してＴＶユニット１０の制御部１９に入力される。制御部１９は、入力された制御情報に基づき、ＴＶユニット１０内の各ブロックを制御する。これらの処理の結果、ユーザは、操作装置（マウス５またはキーボード６）を使用してＴＶユニット１０を操作できる。
【０１０６】
以上のように、本実施形態のＰＣ内蔵テレビ１は、１つの操作装置を使用して、まったく異なる機能を持った２つのユニット（ＴＶユニット１０、ＰＣユニット２０）を操作できる。特に、ＰＣユニット２０の操作がリモコン９によって可能になる点は、ユーザにとってのメリットが大きい。マウス５またはキーボード６に比べて、リモコン９の操作は洗練され、直感的で分かりやすいからである。したがって、本実施形態のＰＣ内蔵テレビ１を使用するユーザは、ＰＣユニット２０によって提供される各種のサービス（アプリケーションの実行、ウェブページの閲覧）を、汎用のパーソナルコンピュータを用いる場合よりも手軽に体験できる。
【０１０７】
（映像合成の流れの例）
ＰＣ内蔵テレビ１における、複数の映像の合成および表示処理の流れについて、図６を参照して説明する。図６は、ＰＣ内蔵テレビ１における映像合成および表示の流れの一例を示す図である。
【０１０８】
この図に示すように、ＰＣユニット２０のコンテンツ取得部２２は、映像５０（第２のコンテンツに含まれる第２の映像）および関連情報５２を取得する。取得先はたとえばインターネット８または記録ディスク７である。これらの映像５０および関連情報５２は、コンテンツ取得部２２、コンテンツ処理部２１、およびコンテンツ送信部２３を経由してＴＶユニット１０に送信される。ＴＶユニット１０では、コンテンツ受信部１６を経由してコンテンツ合成部１４に提供される。
【０１０９】
一方、ＴＶユニット１０のコンテンツ取得部１５は、映像５４（第１のコンテンツに含まれる第１の映像）および関連情報５６を取得する。取得先はたとえば放送局である。これらの映像５４および関連情報５２は、コンテンツ取得部１５、コンテンツ処理部１３を経由してコンテンツ合成部１４に提供される。なお、ＰＣユニット２０ａには、ＴＶユニット１０ａから、映像５０および関連情報５２をＴＶユニット１０ａに提供すべきことを規定した制御情報が事前に送信されている。ＰＣユニット２０ａは、この制御情報の受信に応じて映像５０および関連情報５２をＴＶユニット１０ａに提供する。
【０１１０】
コンテンツ合成部１４は、入力された映像５０、関連情報５２、映像５４、および関連情報５６を合成して１つの合成映像（合成コンテンツ）を生成する。本実施形態ではグラフィックメモリ１１０を利用し、３つのプレーンのそれぞれにデータを書き込む。具体的には第１のプレーンに映像５０、第２のプレーンに映像５４、そして第３のプレーンに関連情報５２および関連情報５６を書き込む。こうして得た３つのプレーンを重ね合わせ、図６に示す１つの合成映像を生成する。当該合成映像は映像出力部１１を経由してディスプレイ２に入力される。これらの処理の結果、ユーザはディスプレイ２を通じて当該合成映像を視認する。結果、放送番組を視聴しながら映画コンテンツをサブ画面で楽しむ、といったことが可能になる。
【０１１１】
（ＰＣ内蔵テレビ１の操作例）
次に、映像出力部１１および音声出力部１２が、コンテンツ取得部１５が取得しているコンテンツ（例えば放送番組）を再生する状態から、ＰＣユニット２０のコンテンツ送信部２３を経てコンテンツ受信部１６が受信したコンテンツまたは上述の合成映像（合成コンテンツ）を再生している状態に切り替えて、再度、コンテンツ取得部１５が取得しているコンテンツを再生するようにユーザがコンテンツの再生の切り替え指示をＰＣ内蔵テレビ１に指示したときの、ＰＣ内蔵テレビ１の動作について、図７に基づいて説明する。図７は本例におけるディスプレイ２に表示される画面と動作との関係を模式的に示す図である。
【０１１２】
本例では、第１のコンテンツが放送番組（図中「ＴＶ」と示す）であり、第２のコンテンツがＰＣコンテンツ（図中「ＰＣ」と示す）である場合について説明する。
【０１１３】
まず、ディスプレイ２は、図７（ａ）または図７（ｂ）に示すようにコンテンツを表示している。つまり、図７（ａ）はディスプレイ２が放送番組を表示している場合を示している。また、図７（ｂ）はディスプレイ２が放送番組およびＰＣコンテンツを合成した合成コンテンツを表示している場合を示しており、より具体的には放送番組を主画面として表示して、副画面としてＰＣコンテンツを表示している場合を示している。図７（ｂ）の状態であれば、ユーザは放送番組を視聴しながら、補助的にＰＣコンテンツを視聴できる。合成コンテンツを表示するディスプレイ２の画面の例については後述の「（ディスプレイ２に表示される画面の例）」にて詳述する。
【０１１４】
リモコン９に設けられた「ＰＣボタン」をユーザが押下することにより、ディスプレイ２は図７（ｃ）に示すようにＰＣコンテンツのみを表示する画面に切り替わる。このとき、映像出力部１１および音声出力部１２が放送番組または放送番組とＰＣコンテンツとの合成コンテンツの再生を停止し、ＰＣコンテンツの再生に切り替わったことを記憶制御部３１は認識する。記憶制御部３１は放送番組の再生の停止を認識した後、記憶部３２に対してコンテンツ取得部１５が取得している放送番組の記憶の開始を指示する。これにより、記憶部３２が放送番組の録画を開始する。記憶部３２が放送番組の録画を行なっている間、映像出力部１１はＰＣコンテンツのみを再生し、また、録画を行なっていることを示すコンテンツＣ１をＯＳＤにて再生する。つまり、放送番組を含むコンテンツの再生からＰＣコンテンツのみの再生に切り替わったとき、記憶制御部３１はコンテンツ取得部１５が取得する放送番組を記憶部３２に送信し、且つ、コンテンツ受信部１６が取得するＰＣコンテンツを映像出力部１１および音声出力部１２に送信する。
【０１１５】
なお、記憶制御部３１による映像出力部１１および音声出力部１２の再生するコンテンツを認識する方法は、特に限定されるものではなく、例えば、ユーザ入力部１７が前回受け付けた指示に基づいて認識してもよいし、記憶制御部３１から映像出力部１１および音声出力部１２にアクセスして、映像出力部１１および音声出力部１２が再生しているコンテンツの種類等から認識してもよい。
【０１１６】
次に、ユーザが、リモコン９に設けられた「ＴＶボタン」押下することにより、放送番組の全画面表示に切り替える指示をした場合を例に、放送番組を含まないコンテンツから放送番組を含むコンテンツの再生に切り替えた場合、即ち、放送番組の再生の再開を指示した場合について説明する。記憶制御部３１が当該指示を受け付けたとき、ディスプレイ２は図７（ｄ）に示す画面になる。即ち、記憶制御部３１は、当該指示を受け付けたとき、当該指示を受け付ける直前まで記憶部３２が録画していた放送番組、およびコンテンツ取得部１５が取得している放送番組のうちいずれを再生すべきかの指示（再生指示）の入力を促す情報（再生指示要求情報）を映像出力部１１に再生させる。図７（ｄ）に示すコンテンツＣ２が当該再生指示要求情報である。
【０１１７】
ユーザがリモコン９を介してコンテンツＣ２に対して「はい」を選択した場合には、映像出力部１１および音声出力部１２は、再生指示を受け付けるまで記憶部３２に記憶されていた放送番組の再生を行なう。ユーザがリモコン９を介してコンテンツＣ２に対して「いいえ」を選択した場合には、映像出力部１１および音声出力部１２は、コンテンツ取得部１５が取得している放送番組を再生する。
【０１１８】
また、ユーザがコンテンツＣ２に対して、「はい」および「いいえ」のいずれを選択した場合であっても、記憶制御部３１は、引き続きコンテンツ取得部１５が取得する放送番組を記憶すべきかの指示の入力を促す情報（継続記憶指示要求情報）を映像出力部１１に再生させる。図７（ｅ）に示すコンテンツＣ３が当該情報である。ユーザがリモコン９を介してコンテンツＣ３に対して「はい」を選択した場合には、ユーザ入力部は継続して記憶すべきとの指示（継続記憶指示）を受け付けたこととなり、記憶部３２はコンテンツ取得部１５が取得している放送番組の記憶を引き続き行ない、「いいえ」を選択した場合には放送番組の記憶を停止する。
【０１１９】
次に、ディスプレイ２は放送番組の再生を行なう。図７（ｆ）は放送番組のみを再生する画面を示している。
【０１２０】
このとき、仮に、記憶部３２が放送番組の記憶を継続して行なっており、記憶部３２の記憶可能容量が予め設定した値になったことを記憶制御部３１が認識した場合、記憶部３２の記憶可能容量が予め設定した値になったこと示す警告情報を図７（ｇ）に示すように表示する。上記予め設定した値は、ユーザが予め設定しておき、これを記憶部３２が記憶していてもよいし、ＰＣ内蔵テレビ１の製造者が予め設定して記憶部３２に記憶させておいてもよい。コンテンツＣ４は警告情報であり、具体例として、記憶部３２の記憶可能容量が残り１．０ギガバイトになった場合を示している。これにより、ユーザは記憶部３２の記憶可能容量を把握することができる。
【０１２１】
（ディスプレイ２に表示される画面の例）
図８は、ディスプレイ２に表示される画面の各例を示す図である。
【０１２２】
図８（ａ）では、ＴＶ全画面６０のみがディスプレイ２の全面に表示されている。このとき、リモコン９に設けられた「ＰＣボタン」をユーザが押下することにより、図８（ａ）の画面が図８（ｂ）のそれに切り替わる。図８（ｂ）では、ＴＶ主画面６１、ＰＣ機能メニュー６２〜６５、およびＰＣ子画面６６がディスプレイ２に表示されている。ユーザは、ＴＶユニット１０によって再生されるＴＶコンテンツ（放送番組）の視聴を中心にＰＣ内蔵テレビ１を使用する。一方、ＰＣコンテンツは補助的に視聴する。
【０１２３】
図８（ｂ）の画面が表示されているとき、リモコン９に設けられた「ＰＣボタン」をユーザが押下することにより、図８（ｂ）の画面が図８（ｃ）のそれに切り替わる。図８（ｃ）では、ＴＶ画面の表示位置とＰＣ画面の表示位置とが入れ替わる。具体的には、ＴＶ主画面６１の表示位置にＰＣ主画面６９が表示され、一方、ＰＣ子画面６６の表示位置にＴＶ子画面６８が表示される。これらの処理によって、ユーザは、ＰＣユニット２０の操作および当該操作によって再生されるＰＣコンテンツの視聴を中心にＰＣ内蔵テレビ１を使用する。一方、放送番組は補助的に視聴する。
【０１２４】
図８（ｃ）の画面が表示されている時、ユーザがＰＣ機能メニュー６２〜６５におけるその他のメニューを選択すれば、図８（ｄ）に示すように、ＰＣ子画面６６を最大化することもできる。すなわち、ＰＣ全画面６７がディスプレイ２に表示される。なお、ユーザが「ＰＣボタン」を押下した場合も、同様に、図８（ｄ）の表示に切り替わる。
【０１２５】
（ＰＣ子画面の切り替えの例）
図９は、ＰＣ内蔵テレビ１が、ＰＣ機能メニューの選択に応じてＰＣ子画面の表示を切り替える様子の一例を示す図である。
【０１２６】
図９（ａ）では、ディスプレイ２に、ＴＶ主画面６１、メニュー項目７１〜７４、およびＰＣ子画面７５を表示している。ＰＣ子画面７５は、メニュー項目７１を選択した時に表示される。ここで、ユーザがメニュー項目７２を選択した時、図９（ｂ）に示すように、当該メニュー項目７２に関連するＰＣ子画面７６が直ちに表示される。
【０１２７】
（ＰＣ機能メニューの選択に応じた処理の例）
本実施形態のＰＣ内蔵テレビ１は、ＰＣ機能のメニューを表すＨＴＭＬ形式のデータを処理することによって、当該ＰＣ機能メニューをディスプレイ２に表示する。そのため、選択された項目に対応するリンク情報に応じた処理を実行する。この具体例について、図１０を参照して以下に説明する。
【０１２８】
図１０は、ＰＣ内蔵テレビ１が、ＰＣ機能メニューを示す情報の選択結果に応じて、ＰＣ子画面を表示したりＰＣ子画面の表示位置を変更したりする様子の一例を示す図である。
【０１２９】
図１０（ａ）の例では、ＰＣ内蔵テレビ１は、メニューデータ８０を処理してＰＣ機能メニューを表示する。メニューデータ８０には、リンク情報８１およびリンク情報８２を含む４つのリンク情報が含まれている。各リンク情報は、項目名（グルメ、検索、ゲーム等）に個別に対応している。
【０１３０】
ここで、ユーザが「グルメ」項目を選択したとする。このときＰＣ内蔵テレビ１は、当該項目に対応したリンク情報８１を処理する。具体的には、リンク情報（アクセス情報）８１が示すウェブサイト（通信ネットワーク上の外部装置）にアクセスし、サーバが返信してくるウェブページ（第２のコンテンツ）を取得して、ＰＣ子画面８４に表示する。なお、このときＴＶ主画面８３も同時に表示する。
【０１３１】
一方、ユーザが「ゲーム２（サイズ指定）」項目を選択したとする。このときＰＣ内蔵テレビ１は、当該項目に対応したリンク情報８２を処理する。具体的には、リンク情報８２が示すゲームアプリケーションを起動し、このアプリが出力するコンテンツ（第２のコンテンツ、第２の映像）をＰＣ子画面８５に表示する。このとき、リンク情報８２に規定されている表示制御情報を参照して、ＰＣ子画面８５の表示位置およびサイズを決定する。なお、ディスプレイ２にはＴＶ主画面８３も同時に表示する。ＴＶ主画面８３のサイズは、ディスプレイ２の画面サイズからＰＣ子画面８５のサイズを演算（たとえば減算）して得た値に基づき決定する。
【０１３２】
（画面表示処理の流れの例）
図１１は、本発明のＰＣ内蔵テレビ１においてＴＶ全画面およびＰＣ子画面を表示する際の情報処理の流れの一例を示すシーケンス図である。図１２は、図１１に示すシーケンス処理によってディスプレイ２に表示される画面の一例を示す図である。
【０１３３】
図１１の処理が始まる前の前提として、ＴＶユニット１０は、事前に、放送局から放送波を受信してデコードし、放送番組を取得済みである。また、各種の放送関連情報を、放送波の受信に合わせて随時受信している。放送関連情報としては、たとえばデータ放送、電子番組表、字幕、クローズドキャプション、ネットワークからの情報、現在視聴しているチャネルを表す情報、ユーザの居住地域を表す情報などがある。
【０１３４】
図１１のシーケンスでは、まずＴＶユニット１０がＴＶ主画面６１を表示する（ステップＳ１）。次にユーザがリモコン９を用いてＰＣ表示コマンドを入力する。この入力に基づきＴＶユニット１０はメニュー情報をＴＶユニット１０にリクエストする（ステップＳ２）。ＰＣユニット２０は受信したリクエストをサービスサーバ（外部装置）に転送する（ステップＳ４）。サービスサーバはメニュー情報をＰＣ内蔵テレビ１に送信し、これをＰＣユニット２０が受信する。ＰＣユニット２０は受信したメニュー情報をＴＶユニット１０に転送する。ＴＶユニット１０は、受信したメニュー情報に処理してメニュー６２〜６５をディスプレイ２に表示する（ステップＳ７）。さらに、ＰＣ子画面６６を表示する（ステップＳ８）。
【０１３５】
ユーザは、リモコン９を用いてメニュー項目のいずれかを選択する（ステップＳ９）。ＴＶユニット１０は、選択されたメニュー項目を表す選択情報をＰＣユニット２０に送信する（ステップＳ１０）。ＰＣユニット２０は、受信した選択情報によって特定されるソフトウェアアプリケーションを実行する（ステップＳ１１）。この実行時にアプリケーションが生成した映像をＴＶユニット１０に送信する。なお、ＰＣユニット２０は、アクセス履歴、購買履歴、コンテンツ視聴履歴、アクセス時刻、アクセス時間等の各種ＰＣコンテンツ情報も、ＴＶユニット１０に送信する。ＴＶユニット１０は、受信した映像をＰＣ子画面７５に表示する。結果、ＰＣ子画面７５の表示が変化する（ステップＳ１２）。
【０１３６】
このときＴＶユニット１０は、放送コンテンツ関連情報および受信したＰＣコンテンツ情報を使用して、これら２つの情報に基づく表示情報を生成し、メニュー項目６２〜６５のいずれかに表示してもよい。図１２の例ではメニュー項目６５がその例である。すなわちＰＣ内蔵テレビ１は、放送関連情報およびＰＣコンテンツ関連情報を用いて、表示メニューを適応的に切り替える。なお、このような適応的なメニューの生成は、ＴＶユニット１０に限らずＰＣユニット２０またはサービスサーバが実行することもできる。この場合、ＴＶユニット１０は生成されたメニューをＰＣユニット２０から取得しディスプレイ２に表示する。
【０１３７】
以上に説明したほか、ＰＣ内蔵テレビ１には次のような様々な工夫が可能である。
【０１３８】
（メニュー表示の工夫）
ＰＣ内蔵テレビ１では、カテゴリの分類および操作を直感的に分かり易くする。これにより、コンピュータの初心者であっても、ＰＣ内蔵テレビ１を簡単に操作することができる。ポータルウェブサイトを踏襲したカテゴリに対応したメニュー項目を一覧にして表示する。これによりユーザは、普段使用しているコンピュータと同じ操作によって、同様にメニュー項目を選択できる。
【０１３９】
ＰＣ内蔵テレビ１は、フォーカス中のメニュー項目に応じたコンテンツをＰＣ子画面に表示する。そのためユーザがコンテンツを選択するたびに、ＰＣ子画面に表示されている映像が切り換わる。結果、ユーザは直感的にコンテンツを選択できる。なお、初期設定として、ユーザにとって魅力的なウェブサイトを予め用意しておくことが好ましい。
【０１４０】
さらにＰＣ内蔵テレビ１にはカテゴリの一種として「便利機能」というメニュー項目がある。ユーザは、使用頻度の高いソフトウェアアプリケーションを当該便利機能に登録できる。なお、ＴＶ画面に表示されるメニュー項目の表示順位は、コンテンツプロバイダーに応じて変更してもよい。さらに、表示順位に応じて決まる掲載料金を、コンテンツプロバイダーから徴収するビジネスも可能になる。
【０１４１】
ＰＣ内蔵テレビ１は、ディスプレイ２にたとえばユーザがよく利用するウェブサイトへのリンクをカテゴリ別に分類して項目として易く表示する。この結果、インターネット８上のウェブサイトへアクセスする際の入り口として、ＰＣ機能メニューを活用できる。ユーザは、ＰＣ主画面６９に切り替える設定等をすることなく、ＴＶ主画面６１を通じて放送番組を視聴中に、この入り口（ＰＣ機能メニュー）から項目を選択することによって、インターネットに直接アクセスできる。これらの工夫によって本発明は、コンピュータの初心者から上級者に至るまで、ＰＣ内蔵テレビ１に対する購入意欲を高めることができる。
【０１４２】
メニュー項目の具体例として、検索ウェブサイト、ウェブログ、ＳＮＳ（Ｓｏｃｉａｌ  Ｎｅｔｗｏｒｋｉｎｇ  Ｓｅｒｖｉｃｅ）、一般情報（たとえば、ニュース、天気、交通情報または路線案内）、暮らしの情報（たとえば、病気、地域情報または子育て）、食べ物（たとえば、飲食店またはレシピ集）、学習（たとえば、辞書または子供の教育）、趣味（たとえば、株、旅行、ショッピングまたはファッション）、または娯楽（たとえば、ゲーム、動画ウェブサイトまたは音楽ダウンロードウェブサイト）などが挙げられる。
【０１４３】
ユーザは、次の手順によって、上述したカテゴリごとのウェブサイトに接続できる。まず、画面上に表示されたカテゴリ別のＰＣ機能メニューの中から、所望のカテゴリに関するメニュー項目を選択する。次に、選択した項目のカテゴリに属するウェブサイトのＵＲＬリストが表示されるので、当該ＵＲＬリストの中から所望のウェブサイトを選択する。具体的には、画面上にＴＶ主画面、複数のメニュー項目、およびＰＣ子画面が表示されているとき、ユーザがリモコン操作によって所望のカテゴリのメニュー項目を選択する。その後、たとえばＰＣ主画面を表示するように選択すれば、画面上ではＰＣ画面が大きくなり、インターネット視聴用に切り換わる。
【０１４４】
（利用サービスの多様性）
ＰＣ内蔵テレビ１のユーザは、従来の汎用コンピュータによって利用可能なインターネットサービスを、全てＰＣ内蔵テレビ１においても利用できる。完全なコンピュータとして機能し、ＴＶユニット１０と連携して動作するＰＣユニット２０が、ＰＣ内蔵テレビ１に備えられているからである。したがってＰＣ内蔵テレビ１は、従来のように限られたインターネットサービスしか利用できないネットテレビに比べて、その活用範囲は遥かに広い。
【０１４５】
（大画面化による利点）
ディスプレイ２にＰＣ全画面を表示した場合、ユーザは、ＰＣユニット２０をマウス５またはキーボード６を使用して操作できる。ディスプレイ２を大画面としたＰＣ内蔵テレビ１では、ユーザは、ＰＣコンテンツを大画面かつ高画質のディスプレイ２を通じて楽しむことができる。従来のコンピュータではこのような用途のためにはＰＣ本体の他に別途大画面のディスプレイを用意する必要があった。しかしＰＣ内蔵テレビ１はこれ一台で、コンピュータも大いに活用するパワーユーザの要望をも満たすことができる。特にＰＣユニット２０はコンピュータであるため各種の周辺機器と連携して機能を柔軟に追加することが可能であり、こうした機能追加によって得られる利点を、大画面かつ高画質の表示を通じてユーザに実感させることができる。
【０１４６】
（電源の連動）
ユーザは、ＰＣユニット２０を起動するための煩雑な操作をしなくてもよい。ＰＣ内蔵テレビ１において、ＴＶユニット１０の電源と、ＰＣユニット２０の電源とが連動するからである。すなわち、ＴＶユニット１０ａの電源を入れると同時にＰＣの電源も入る。ＴＶユニット１０の起動完了後、ユーザは直ちに放送番組の視聴が可能になる。一方、その後もＰＣユニット２０の起動処理は続く。ＴＶユニット１０よりもＰＣユニット２０の方が、起動の完了に要する時間が長いからである。ユーザは、ＰＣユニット２０の起動完了まで無用にまたせることなく、放送番組を楽しめる。また、ＰＣユニット２０の起動完了後は、リモコン９による簡単な操作によって、いつでもＰＣユニット２０を操作できる。
【０１４７】
（設置の容易性）
ＴＶユニット１０およびＰＣユニット２０が一体化されているため、ユーザはＰＣ内蔵テレビ１を簡単に設置できる。ＴＶユニット１０のディスプレイ２にＬＥＤバックライト採用してもよい。これにより、ＴＶユニット１０ａの軽量化および薄型化が可能になるため、ＰＣ内蔵テレビ１の設置方向を縦横のいずれにも自由にできる。
【０１４８】
（ＰＣ内蔵テレビ１の販売）
ＰＣ内蔵テレビ１の外観は、通常のテレビジョン装置のそれに酷似している。したがって、販売店はＰＣ内蔵テレビ１をコンピュータ売り場ではなくテレビ売り場に置く。販売員は、ＰＣ内蔵テレビ１を見込み客に売り込むときに、簡単な操作でコンピュータも利用できることを訴求できる。結果、コンピュータ売り場は行かないがテレビの売り場なら行くような顧客、すなわちコンピュータは苦手だがテレビは使える一般的なユーザに対し、ＰＣ内蔵テレビ１への購入意欲を高めさせることができる。ＰＣ内蔵テレビ１はコンピュータも使えるという付加価値を有しており、その分単価を高く設定でき、利益率も高い。したがって、ＰＣ内蔵テレビ１の製造会社も、販売店もより高い利益をＰＣ内蔵テレビ１によって得られる。
【０１４９】
（消費電力の表示）
ＰＣ内蔵テレビ１は、自身の消費電力に関する情報を取得し、表示用の情報に変換して、ディスプレイ２に表示してもよい。
【０１５０】
〔実施形態２〕
本発明に係る第の実施形態について、図１３および図１４を参照して以下に説明する。なお、上述した第１の実施形態と共通する各部材には同じ符号を付し、詳細な説明を省略する。
【０１５１】
（ＰＣ内蔵テレビ１ａの外観例）
図１３（ａ）は、着脱可能なＰＣユニット２０ａがＴＶユニット１０ａに装着された後のＰＣ内蔵テレビ１ａを表示画面側から見た場合の外観を示す図である。図１３（ｂ）は、着脱可能なＰＣユニット２０ａがＴＶユニット１０ａに装着される前のＰＣ内蔵テレビ１ａを背面側から見た場合の外観を示す図である。
【０１５２】
この図に示すように、本実施形態のＰＣ内蔵テレビ１ａは、ＴＶユニット１０ａおよびＰＣユニット２０ａによって構成されている。この点において、第１の実施形態に係るＰＣ内蔵テレビ１と何ら変わりはない。しかし本実施形態のＰＣ内蔵テレビ１ａでは、ＰＣユニット２０ａがＰＣ内蔵テレビ１ａから着脱可能である。したがって、ＰＣ内蔵テレビ１の拡張性および保守性を高めることができる。なお、装着を解除した後、ＴＶユニット１０ａもＰＣユニット２０ａもそれぞれ単独で利用できる。
【０１５３】
ＰＣユニット２０ａには、図１３（ａ）に示すように、複数の外部端子１５０〜１５２が設けられている。具体的にはイーサネット（登録商標）端子１５０、ＵＳＢ端子１５１、および映像／音声入出力端子１５２である。また、図１３（ｂ）に示すように、ＰＣユニット２０ａには、ＴＶユニット１０ａと信号をやり取りするための外部端子１５３〜１５５も設けられている。具体的には、映像信号（ＨＤＭＩ信号を含むＳＤＶＯ：Ｓｅｒｉａｌ  Ｄｉｇｉｔａｌ  Ｖｉｄｅｏ  ＯｕｔＰｕｔ）端子１５３、制御信号端子１５４、および電源端子１５５である。これらの端子があることによって、ＰＣユニット２０ａとＴＶユニット１０ａとの間で、映像信号、制御信号、および電源信号を互いに送受信できる。なお、これらに加えて音声信号端子を設け、音声信号を互いに送受信することも当然に可能である。
【０１５４】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。結果、ユーザは簡便な手順によってＰＣユニット２０ａをＴＶユニット１０ａに装着できる。すなわち、ＰＣユニット２０ａをその装着位置にただ差し込めばよいのである。
【０１５５】
ＰＣ内蔵テレビ１から外したＰＣユニット２０は、周辺機器に接続させることによって、様々な用途に活用できる。たとえば、モニタと接続可能なクレードルに、取り外したＰＣユニット２０を装着する。こうすれば、ＰＣユニット２０をデスクトップコンピュータとして使用できる。なお、ＰＣユニット２０ａとクレードルとを接続する端子としては、他にもイーサネット（登録商標）端子、およびシリアルポート端子を利用できる。
【０１５６】
（ＰＣ内蔵テレビ１ａの要部構成）
図１４は、本発明の一実施形態に係るＰＣ内蔵テレビ１の要部構成を示すブロック図である。この図に示すように、ＴＶユニット１０ａのコンテンツ取得部１５は、アンテナ４を通じての他、記録ディスク７からも、インターネット８を通じてからも、また外部機器（外部記憶装置）１６０からも、再生対象のコンテンツを取得できる。すなわち、本実施形態のＴＶユニット１０ａが処理するコンテンツは、放送番組に限らず、たとえばテキスト、映像、音声、動画等のコンテンツも該当し、さらにこれらの組み合わせからなるマルチメディアコンテンツも該当する。他にも、ウェブページも含まれる。
【０１５７】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得できる。
【０１５８】
〔実施形態３〕
本発明に係る第３の実施形態について、図１５を参照して以下に説明する。なお、上述した第１および第２の実施形態と共通する各部材には同じ符号を付し、詳細な説明を省略する。
【０１５９】
本実施形態では、本発明はＢＤ内蔵テレビ１ｂとして実現される。ここで「ＢＤ」とはＢｌｕ−ｒａｙ（ブルーレイ、登録商標）録画再生機器のことである。ＢＤ内蔵テレビ１ｂは、放送番組の再生および記録ディスク７への録画、ならびにブルーレイコンテンツの再生が可能な装置である。
【０１６０】
（ＢＤ内蔵テレビの外観例）
図１５は、着脱可能なＢＤユニット２０ｂ（第２のユニット）がＴＶユニット１０ａに装着された後のＢＤ内蔵テレビ１ｂの外観例を示す図である。ＢＤユニット２０ｂはブルーレイ録画再生装置としての構成および機能を有しており、それ単体でも動作するユニットである。本実施形態では、ＰＣユニット２０ａの装着が可能なＴＶユニット１０ａに、ＢＤユニット２０ｂを装着して１つのＢＤ内蔵テレビ１ｂを構成する。すなわち、ＴＶユニット１０ａの装着スロットにはＰＣユニット２０ａもＢＤユニット２０ｂもそれぞれが着脱式で装着可能になっている。また、これらのユニット以外にも、たとえばＤＶＤレコーダとしての構成および機能を有するＤＶＤユニットも、ＴＶユニット１０ａに装着可能である。
【０１６１】
ＴＶユニット１０ａは、装着されたＢＤ内蔵テレビ１ｂと連携して動作する。したがって、ユーザはリモコン９を使用してＴＶユニット１０ａもＢＤユニット２０ｂも操作できる。すなわち、放送番組の視聴、放送番組の記録ディスク７への録画、記録ディスク７に録画されたコンテンツの再生は、１つのリモコン９によっていずれも可能である。
【０１６２】
なお、ＢＤユニット２０ｂは、第１の実施形態に係るＴＶユニット１０に支持される形で装着されることもできる。この場合、たとえばＵＳＢ２．０の規格に従った端子間での接続が可能である。
【０１６３】
（付記事項）
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【０１６４】
本発明のコンテンツ再生装置は、第１のユニットおよび複数の第２のユニットによって構成されていても良い。第２のユニットは、汎用コンピュータ、ブルーレイ再生（録画）機器、ＤＶＤ再生（録画）機器、およびハードディスクレコーダのいずれかとして実現され得る。これらのうち任意の複数の第２のユニットと、第１のユニットとを組み合わせて、１つのコンテンツ再生装置を構成する。結果、たとえば１つのコンテンツ再生装置が２つのＰＣユニット２０を備えている構成、ならびに、１つのコンテンツ再生装置が１つのＰＣユニット２０ａおよび１つのＢＤユニット２０ｂを備えている構成は、いずれも本発明の範疇に含まれる。如何なる第２のユニットも、第１のユニットから着脱可能とすることもできるし、または、第１のユニットの筐体本体に内蔵することもできる。
【０１６５】
ＰＣユニット２０ａがＴＶユニット１０ａの筐体本体に内蔵された構成のＰＣ内蔵テレビ１も、実現可能である。この場合、ＰＣユニット２０ａはＴＶユニット１０ａの内部に完全に隠されている。したがって、ＰＣユニット２０ａを外部環境から守ることができる。なお、ユーザは、ＰＣユニット２０ａをＴＶユニット１０ａの内部から取り出して、別のＰＣユニット２０ａに交換することができる。
【０１６６】
（プログラムおよび記録媒体）
最後に、ＰＣ内蔵テレビ１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１６７】
すなわちＰＣ内蔵テレビ１は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１６８】
この記録媒体は、上述した機能を実現するソフトウェアであるＰＣ内蔵テレビ１のプログラムのプログラムコード（実行形式プログラム、中間コードプログラム、ソースプログラム）をコンピュータで読み取り可能に記録していればよい。ＰＣ内蔵テレビ１に、この記録媒体を供給する。これにより、コンピュータとしてのＰＣ内蔵テレビ１（またはＣＰＵやＭＰＵ）が、供給された記録媒体に記録されているプログラムコードを読み出し、実行すればよい。
【０１６９】
プログラムコードをＰＣ内蔵テレビ１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１７０】
また、ＰＣ内蔵テレビ１を通信ネットワークと接続可能に構成しても、本発明の目的を達成できる。この場合、上記のプログラムコードを、通信ネットワークを介してＰＣ内蔵テレビ１に供給する。この通信ネットワークはＰＣ内蔵テレビ１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１７１】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０１７２】
本発明は、コンピュータを内蔵したテレビジョン装置として幅広く利用できる。
【符号の説明】
【０１７３】
１    ＰＣ内蔵テレビ（コンテンツ再生装置）
１ａ    ＰＣ内蔵テレビ（コンテンツ再生装置）
１ｂ    ＢＤ内蔵テレビ（コンテンツ再生装置）
２    ディスプレイ
３    スピーカ
４    アンテナ
５    マウス
６    キーボード
７    記録ディスク（記録メディア）
８    インターネット（通信ネットワーク）
９    リモコン
１０  ＴＶユニット（第１のユニット）
１０ａ  ＴＶユニット（第１のユニット）
１１  映像出力部（コンテンツ再生手段、再生指示要求情報再生手段、継続記憶指示要求情報再生手段、警告情報再生手段）
１２  音声出力部（コンテンツ再生手段）
１３  コンテンツ処理部（コンテンツ再生手段）
１４  コンテンツ合成部（コンテンツ合成手段）
１５  コンテンツ取得部（第１のコンテンツ取得手段、放送波受信手段）
１６  コンテンツ受信部（コンテンツ受信手段、コンテンツ情報受信手段）
１７  ユーザ入力部（指示受け付け手段）
１８  制御情報通信部（制御情報送信手段）
１９  制御部
３１  記憶制御部（記憶制御手段）
３２  記憶部（記憶媒体）
２０  ＰＣユニット（第２のユニット）
２０ａ  ＰＣユニット（第２のユニット）
２０ｂ  ＢＤユニット（第２のユニット）
２１  コンテンツ処理部
２２  コンテンツ取得部（第２のコンテンツ取得手段）
２３  コンテンツ送信部（コンテンツ送信手段、コンテンツ情報送信手段）
２４  記憶部（内部記憶装置）
２５  制御情報通信部（制御情報受信手段）
２６  ユーザ入力部
２７  制御部
２８  アプリケーション実行部（実行手段）
【図１】
2011023883.tif 000003
【図２】
2011023883.tif 000004
【図３】
2011023883.tif 000005
【図４】
2011023883.tif 000006
【図５】
2011023883.tif 000007
【図６】
2011023883.tif 000008
【図７】
2011023883.tif 000009
【図８】
2011023883.tif 000010
【図９】
2011023883.tif 000011
【図１０】
2011023883.tif 000012
【図１１】
2011023883.tif 000013
【図１２】
2011023883.tif 000014
【図１３】
2011023883.tif 000015
【図１４】
2011023883.tif 000016
【図１５】
2011023883.tif 000017